(57)【要約】【課題】  表示部の角度に応じてスイッチやデバイスへの電源の供給を段階的にオン・オフすることができる情報処理装置および制御方法を提供する。【解決手段】  ディスプレイ１１に開閉自在に接続され、ディスプレイ１１が閉じたときにディスプレイ１１と少なくとも一部が重なる本体１６には、キーボード１３、タッチパッド１４、指紋認証デバイス１７、各種ショートカットボタン１８が配置され、ディスプレイ１１が本体１６に対して閉じる方向に動いたとき、ディスプレイ１１と本体１６とが１０度以下になると、エリアＡ１、Ａ２に配置されている指紋認証デバイス１７、各種ショートカットボタン１８への電源の供給をオフする。【選択図】      図５
2007233505.tif 000002
【特許請求の範囲】
【請求項１】
表示装置と、
前記表示装置と回動自在に接続され、前記表示装置を所定方向に回転したときに当該表示装置と少なくとも一部が対面するように重なる本体と、
前記本体の前記対面する側に配置された、前記表示装置を重ねたときにこの表示装置により覆い隠される複数の操作手段と、
前記表示装置が前記本体に対して重なる方向に回転したとき、前記表示装置と前記本体との角度に応じて、複数の前記操作手段への電源の供給を、あらかじめ設定した順序で段階的にオフする手段と、
を具備することを特徴とする情報処理装置。
【請求項２】
請求項１に記載の情報処理装置において、
前記順序は、前記表示装置が前記本体に重なる方向に回転するに連れて、この表示装置により覆い隠されることにより操作不能となる操作手段の順に設定されていることを特徴とする情報処理装置。
【請求項３】
請求項１に記載の情報処理装置において、
前記操作手段は、キーボード、タッチパッド、ショートカットボタン、指紋認証装置の少なくともいずれかであることを特徴とする情報処理装置。
【請求項４】
請求項１に記載の情報処理装置において、
前記表示装置はさらに、前記本体と重ねた状態における前記本体に対する表裏を反転できるよう回動自在に接続されていることを特徴とする情報処理装置。
【請求項５】
表示装置と、
前記表示装置と回動自在に接続され、前記表示装置を所定方向に回転したときに当該表示装置と少なくとも一部が対面するように重なる本体と、
前記本体の前記対面する側に配置された、前記表示装置を重ねたときにこの表示装置により覆い隠される複数の操作手段と、
前記表示装置が前記本体に対して離れる方向に回転したとき、前記表示装置と前記本体との角度に応じて、複数の前記操作手段への電源の供給を、あらかじめ設定した順序で段階的にオンする手段と、
を具備することを特徴とする情報処理装置。
【請求項６】
請求項５に記載の情報処理装置において、
前記順序は、前記表示装置が前記本体から離れる方向に回転するに連れて、この表示装置とこの本体との間に生じる空間により操作可能となる操作手段の順に設定されていることを特徴とする情報処理装置。
【請求項７】
請求項５に記載の情報処理装置において、
前記操作手段は、キーボード、タッチパッド、ショートカットボタン、指紋認証装置の少なくともいずれかであることを特徴とする情報処理装置。
【請求項８】
請求項５に記載の情報処理装置において、
前記表示装置はさらに、前記本体と重ねた状態における前記本体に対する表裏を反転できるよう回動自在に接続されていることを特徴とする情報処理装置。
【請求項９】
表示装置と、前記表示装置と回動自在に接続され、前記表示装置を所定方向に回転したときに当該表示装置と少なくとも一部が対面するように重なる本体と、前記本体の前記対面する側に配置された、前記表示装置を重ねたときにこの表示装置により覆い隠される複数の操作手段とを備えた情報処理装置の制御方法であって、
前記表示装置が前記本体に対して重なる方向に回転したとき、前記表示装置と前記本体との角度を求め、
複数の前記操作手段のうち、前記角度に対応する前記操作手段を求め、
この求めた操作手段から段階的に電源の供給をオフすることを特徴とする制御方法。
【請求項１０】
表示装置と、前記表示装置と回動自在に接続され、前記表示装置を所定方向に回転したときに当該表示装置と少なくとも一部が対面するように重なる本体と、前記本体の前記対面する側に配置された、前記表示装置を重ねたときにこの表示装置により覆い隠される複数の操作手段とを備えた情報処理装置の制御方法であって、
前記表示装置が前記本体に対して離れる方向に回転したとき、前記表示装置と前記本体との角度を求め、
複数の前記操作手段のうち、前記角度に対応する前記操作手段を求め、
この求められた操作手段から段階的に電源の供給をオンすることを特徴とする制御方法。
【発明の詳細な説明】
【技術分野】
【０００１】
本発明は、ノート型コンピュータの省電力技術に係り、特にディスプレイの開閉の状態に応じて各操作機器への電源の供給を制御できる情報処理装置および制御方法に関する。
【背景技術】
【０００２】
ノート型のパーソナルコンピュータにおいて、本体部表示部との角度を検出し、角度によって内部電源、外部電源、システム電源のオン・オフを切り替える技術が開示されている（特許文献１参照）。
【特許文献１】特開平１１−３３８５７５号公報
【発明の開示】
【発明が解決しようとする課題】
【０００３】
しかし、上述した技術では、表示部の角度に応じて、操作が不能となる各種スイッチやデバイスへの電源の供給をオフすることはなく、無駄な電力消費が行われる。
【０００４】
本発明の目的は、表示部の角度に応じてあらかじめ定めた本体部に設けられた各種スイッチやデバイスの操作の可能・不能に基づき、各種スイッチやデバイスの電源供給をその角度に応じて段階的にオン・オフすることができる情報処理装置および制御方法を提供することである。
【課題を解決するための手段】
【０００５】
上記目的を達成するために、本願発明の一態様によれば、表示装置と、前記表示装置と回動自在に接続され、前記表示装置を所定方向に回転したときに当該表示装置と少なくとも一部が対面するように重なる本体と、前記本体の前記対面する側に配置された、前記表示装置を重ねたときにこの表示装置により覆い隠される複数の操作手段と、前記表示装置が前記本体に対して重なる方向に回転したとき、前記表示装置と前記本体との角度に応じて、複数の前記操作手段への電源の供給を、あらかじめ設定した順序で段階的にオフする手段と、を具備することを特徴とする情報処理装置が提供される。
【発明の効果】
【０００６】
本発明を用いることにより、表示部の角度に応じてあらかじめ定めた本体部に設けられた各種スイッチやデバイスの操作の可能・不能に基づき、各種スイッチやデバイスの電源供給をその角度に応じて段階的にオン・オフすることができる情報処理装置および制御方法を提供することができる。
【発明を実施するための最良の形態】
【０００７】
（第１実施形態）
以下図面を参照して、本発明の実施形態について説明する。
【０００８】
図１には、本発明の第１実施形態に係る情報処理装置の斜視図が示されている。この情報処理装置は、バッテリ駆動可能なノートブック型コンピュータ１０として実現されている。
【０００９】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１０】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、メール等の各種ショートカットボタン１８等が配置されている。また、本体１６の側面には、光学ドライブ１５等が設けられている。さらに、ディスプレイ１１の下部には、指紋認証デバイス１７が配置されている。
【００１１】
図２は、コンピュータの構成を示したブロック図である。
【００１２】
コンピュータ１０は、ＣＰＵ（Central Processing Unit）２０、Root Complex２１、主メモリ２４、グラフィクスコントローラ(End Point)２３、Root Complex２１とグラフィクスコントローラ２３とを接続するPCI Express Link２２、ディスプレイ１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、ＥＣ／ＫＢＣ２７に接続された入力デバイスである、指紋認証デバイス１７、キーボード１３、タッチパッド１４、各種ショートカットボタン１８、本体１６とディスプレイ１１との角度を検出する角度検出装置１９などを備えている。
【００１３】
Root Complex２１、グラフィクスコントローラ２３等は、PCI EXPRESS規格に準拠したデバイス（デバイス）である。Root Complex２１とグラフィクスコントローラ２３との間の通信は、Root Complex２１とグラフィクスコントローラ２３との間に配設されたPCI Express Link２２を介して実行される。
【００１４】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１５】
Root Complex２１は、ＣＰＵ２０のローカルバスとグラフィクスコントローラ２３との間を接続するブリッジデバイスである。また、Root Complex２１は、PCI Express Link２２を介してグラフィクスコントローラ２３との通信を実行する機能も有している。
【００１６】
グラフィクスコントローラ２３は、本コンピュータのディスプレイモニタとして使用されるディスプレイ１１を制御する表示コントローラである。
【００１７】
ＥＣ／ＫＢＣ２７は、電力管理のためのエンベデッドコントローラと、キーボード１３およびタッチパッド１４等を制御するためのキーボードコントローラとが集積された１チップマイクロコンピュータである。このＥＣ／ＫＢＣ２７は、ユーザによるパワーボタンの操作に応じて、電源コントローラと共同して、本コンピュータ１０をパワーオン／パワーオフする機能を有している。
【００１８】
次に本発明の第１実施形態に係る情報処理装置の制御方法について、図３のフローチャートを参照して説明する。
【００１９】
なお、本実施形態では、ディスプレイ（以下、パネルと称す）１１を開けた状態から、パネルを閉める動作について、図３のフローチャートを参照して説明する。
【００２０】
コンピュータ１０のＣＰＵ２０は、角度検出装置１９からの情報に基づいて、パネル１１の角度が、本体１６に対して、例えば１０度に達したか否かを判別する（ステップＳ１０１：図４参照）。ステップＳ１０１で、ＣＰＵ２０によってパネル１１の角度が本体１６に対して１０度に達したと判別されると（ステップＳ１０１のＹＥＳ）、パネル１１の角度が本体１６に対して５度に達したか否かを判別する（ステップＳ１０２）。ＣＰＵ２０によってパネル１１の角度が本体１６に対して５度に達していないと判別されると（ステップＳ１０２のＮＯ）、図５に示したエリアＡ１、Ａ２の領域に配置されている指紋認証デバイス１７、各種ショートカットボタン１８、キーボード１３の上部の一部への電源の供給をオフする（ステップＳ１０３）。なお、これらのデバイスへの電源の供給をオフする場合、１つの電源回路内に複数のスイッチ部を備えてもよいし、複数の電源回路を備えていてもよい。
【００２１】
一方、ＣＰＵ２０によってパネル１１の角度が本体１６に対して５度に達していると判別されると（ステップＳ１０２のＹＥＳ）、図５に示したエリアＢ１、Ｂ２の領域に配置されているＬＣＤ１２、キーボード１３、タッチパッド１４への電源の供給をオフする（ステップＳ１０４）。
【００２２】
なお、電源の供給をオフするエリアの設定は、上述した内容に限らず、様々に設定することができる。また、本実施形態に示したタッチパッド１４等のデバイス以外にも、パネル１１と本体１６の角度により操作が制限されるデバイスが搭載されている場合には、そのデバイスに対しても同様に適用することで本発明の効果を享受できる。
【００２３】
次に、パネル１１を閉じた状態から、パネルを開ける動作について図６のフローチャートを参照して説明する。
【００２４】
コンピュータ１０のＣＰＵ２０は、角度検出装置１９からの情報に基づいて、パネル１１の角度が、本体１６に対して、例えば５度に達したか否かを判別する（ステップＳ１１１：図４参照）。ステップＳ１１１で、ＣＰＵ２０によってパネル１１の角度が本体１６に対して５度に達したと判別されると（ステップＳ１１１のＹＥＳ）、図５に示したエリアＢ１、Ｂ２の領域に配置されているＬＣＤ１２、キーボード１３、タッチパッド１４への電源の供給をオンする（ステップＳ１１２）。
【００２５】
さらに、ＣＰＵ２０は、パネル１１の角度が本体１６に対して１０度に達したか否かを判別する（ステップＳ１１３）。ＣＰＵ２０によってパネル１１の角度が本体１６に対して１０度に達したと判別されると（ステップＳ１１３のＹＥＳ）、図５に示したエリアＡ１、Ａ２の領域に配置されている指紋認証デバイス１７、各種ショートカットボタン１８、キーボード１３の上部の一部への電源の供給をオンする（ステップＳ１１４）。
【００２６】
以上の実施形態により、表示部の角度に応じて、本体部に設けられた各種スイッチやデバイスが隠されたことにより操作できなくなった各種スイッチやデバイスへの電源供給を段階的にオフし、一方、本体部に設けられた各種スイッチやデバイスが操作できるようになったときには各種スイッチやデバイスへの電源供給を段階的にオンすることができる。
【００２７】
（第２実施形態）
次に、本発明の第２実施形態について図７、８を参照して説明する。
【００２８】
図７は、本発明の第２実施形態に係る情報処理装置であるノート型タブレットＰＣを示した斜視図である。
【００２９】
タブレットＰＣ１００は、キーボード１３０、タッチパッド１４０、および液晶方式の可動式ディスプレイ１２０との接続部であるヒンジ部６０等を備える本体１６０と、各種ボタン１８０を備えたヒンジ部６０に可動可能に接続されたディスプレイ１２０とから構成される。タブレットＰＣ１００は、ディスプレイ１２０がタッチパネルとなっており、スタイライズ８０等によってディスプレイ１２０に対して直接的に操作できる。
【００３０】
ディスプレイ１２０は、ヒンジ部６０を軸として、Ｙ軸を中心に回転可能である。また、Ｘ軸を中心として、可倒可能である。例えば、ディスプレイ１２０の表示面を上側にして可倒した場合は、図８に示すようなタブレットスタイルとなる。このようにタブレットスタイルとした場合においては、例えば、２人の利用者がディスプレイ１２０を見て利用する形態が考えられる。
【００３１】
このようなタブレットＰＣ１００を用いた場合においても、第１実施形態で説明したエリアＡ１、Ａ２、Ｂ１、Ｂ２等を設け、これらのエリア毎に、ディスプレイ１２０と本体１６０との角度に応じて電源の供給をオン・オフする設定とすることができ、上述した第１実施形態と同様の効果を奏することができる。
【００３２】
同様に、本実施形態に示したデバイス以外にも、ディスプレイ１２０と本体との角度により操作が制限されるデバイスが搭載されている場合には、そのデバイスに対しても同様に適用することで本発明の効果を享受できる。
【００３３】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明の第１実施形態に係る情報処理装置であるノートブック型コンピュータを示した斜視図。
【図２】本発明の第１実施形態に係る情報処理装置であるノートブック型コンピュータの構成を示したブロック図。
【図３】本発明の第１実施形態に係る情報処理装置の制御方法について説明したフローチャート。
【図４】本体に対するパネルの角度を示した模式図。
【図５】本発明の第１実施形態に係るコンピュータの本体およびパネルに配置された各種スイッチやデバイスの設定エリアを示す模式図。
【図６】本発明の第２実施形態に係る情報処理装置の制御方法について説明したフローチャート。
【図７】本発明の第２実施形態に係る情報処理装置であるノート型タブレットＰＣを示した斜視図。
【図８】本発明の第２実施形態に係る情報処理装置であるノート型タブレットＰＣのタブレットスタイルを示した斜視図。
【符号の説明】
【００３５】
１０…コンピュータ、１１…ディスプレイ、１２…ＬＣＤ、１３…キーボード、１４…タッチパッド、１４ａ．１４ｂ…ボタン、１５…光学ドライブ、１６…本体、１７…指紋認証デバイス、１８…各種ショートカットボタン、１９…角度検出装置、２０…ＣＰＵ、２３…グラフィクスコントローラ、２４…主メモリ、２５…ＨＤＤ、２６．ＥＣ…ＲＯＭ、２６…ＲＯＭ、２７…ＥＣ／ＫＢＣ、６０…ヒンジ部、８０…スタイライズ、１００…タブレットＰＣ、１２０…ディスプレイ、１３０…キーボード、１４０…タッチパッド、１６０…本体。
【図１】
2007233505.tif 000003
【図２】
2007233505.tif 000004
【図３】
2007233505.tif 000005
【図４】
2007233505.tif 000006
【図５】
2007233505.tif 000007
【図６】
2007233505.tif 000008
【図７】
2007233505.tif 000009
【図８】
2007233505.tif 000010